(57)【要約】【課題】ワイヤーハーネスの分岐部の分岐位置を精度良く容易に製作することに供されるワイヤーハーネス分岐部固定部材を提供すること。【解決手段】ワイヤーハーネスの分岐位置に取り付けてワイヤーハーネスを固定する固定部材であって、ワイヤーハーネスの分岐形状に対応して枝分かれ形成された複数の枝部を有するプレートから成り、少なくとも該プレートの枝分かれ位置には開口穴が形成されている。【選択図】図２
2005295730.tif 000002
【特許請求の範囲】
【請求項１】
ワイヤーハーネスの分岐位置に取り付けてワイヤーハーネスを固定する固定部材であって、前記ワイヤーハーネスの分岐形状に対応して枝分かれ形成された複数の枝部を有するプレートから成り、少なくとも該プレートの枝分かれ位置には開口穴が形成されていることを特徴とするワイヤーハーネス分岐部固定部材。
【請求項２】
前記枝部は可撓可能であることを特徴とする請求項１に記載のワイヤーハーネス分岐部固定部材。
【請求項３】
前記枝部には枝方向に対して側方に段部が形成されていることを特徴とする請求項１又は２に記載のワイヤーハーネス分岐部固定部材。
【請求項４】
前記プレートの開口穴近傍には保護壁が設けられていることを特徴とする請求項１から３のいずれかに記載のワイヤーハーネス分岐部固定部材。
【請求項５】
前記枝部にはコルゲートチューブと嵌合するコルゲート嵌合部材が別途取り付けられていることを特徴とする請求項１から４のいずれかに記載のワイヤーハーネス分岐部固定部材。
【発明の詳細な説明】
【技術分野】
【０００１】
本発明は、自動車に配索されるワイヤーハーネスに関し、更に詳しくは、このワイヤーハーネスの分岐位置に取り付けてワイヤーハーネスを固定する固定部材に関するものである。
【背景技術】
【０００２】
一般に、自動車のエンジンルームや室内等に配索されるケーブルの束よりなるワイヤハーネスにおいては、ケーブルを熱や埃から保護するとともに、振動等による周辺部品との接触を防止するために、テーピングや、コルゲートチューブ、スパイラルチューブなどの筒状のチューブ材により外装されている。
【０００３】
例えば、コルゲートチューブは、耐衝撃性や耐摩耗性に優れたポリプロピレン樹脂等の合成樹脂材料により成形されたもので、薄肉円筒状に形成され、周方向の凹溝と凸条とを交互にチューブ長さ方向に等ピッチで配した蛇腹構造を有した屈曲性に富むもので、内部にケーブルの束を収容して保護する。このコルゲートチューブには、長手方向に切り込みが設けられたものとそうでないものとがあり、切り込みのあるものはその口開きによりケーブルの収容が容易であるところから広く使われている。
【０００４】
自動車等に使用されているワイヤーハーネスは車体の各所に配索され所要位置で分岐されて、車体に設置されている各機器に接続されているが、ワイヤーハーネスの分岐位置ではこのようなチューブ材も分割する必要があり、その結果、分割場所に隙間が生じ、テープ等を巻き付けて分割箇所の防水および保護等を図る必要がある。
【０００５】
図７は、複数本のケーブルＷａを束ねて本線Ｗｂから分岐された枝線Ｗｃを有して、その枝線Ｗｃの端末部分に電気機器や各種センサ等への接続のためのコネクタＣを備えたワイヤーハーネスＷが示されている。図示されるようにコルゲートチューブＴが枝線Ｗｃやその他の部分において外装されている。
【０００６】
このようなワイヤーハーネスＷは、自動車に取り付けた際に先端のコネクタＣが、接続の相手となる電気機器のコネクタに対して所望の位置となるように、ケーブルＷａの長さやこれに外装されるコルゲートチューブＴの長さを厳密に寸法管理して製作されている。コルゲートチューブＴの端部から露出した部分は、コルゲートチューブＴのケーブルＷａに対する遊動を許容しないように、粘着テープを巻いて固定される。これらアッセンブリーはワイヤーハーネス製作図板上にて行われ、特に分岐位置は、図板に固定された棒状の治具に載置されて行われる。そして、アッセブリーされたワイヤーハーネスＷを自動車内部に作業者が配索してコネクタ接続等を行っている。
【０００７】
【特許文献１】特開平１１−８９２２号公報
【特許文献２】特開平１１−６９５６２号公報
【発明の開示】
【発明が解決しようとする課題】
【０００８】
このようなワイヤーハーネスＷの分岐位置や枝線Ｗｃ長さは、先端のコネクタＣが接続の相手の電気機器のコネクタの位置に対して、長すぎたり、短かすぎたりすると接続作業が煩雑になることことから、寸法管理されて製作されるのであるが、図示されるように分岐の中心が分かりづらいため、寸法測定時の測定点が定まらず結果寸法精度が出ないという問題がある。また、分岐位置のテーピングは、ハーネスを一旦製作図板の治具から外して行うため、この際に分岐位置がずれてしまうことがある。更に、テーピングだけの固定だけでは、分岐位置や分岐の方向を規制し難いという問題、また、テープの巻き方次第で分岐部の形状、大きさが変わってしまうという問題があった。このようなことから製造公差の管理が難しく、設計寸法通りにワイヤーハーネスを作ることが困難であった。
【０００９】
そこで、本発明が解決する課題は、ワイヤーハーネスの分岐部の分岐位置を精度良く容易に製作することに供されるワイヤーハーネス分岐部固定部材を提供することである。
【課題を解決するための手段】
【００１０】
この課題を解決するため本発明は、ワイヤーハーネスの分岐位置に取り付けてワイヤーハーネスを固定する固定部材であって、前記ワイヤーハーネスの分岐形状に対応して枝分かれ形成された複数の枝部を有するプレートから成り、少なくとも該プレートの枝分かれ位置には開口穴が形成されていることを要旨とするものである。
【００１１】
この場合において、前記枝部は可撓可能であると良い。また、前記枝部には枝方向に対して側方に段部が形成されていると良い。更には、前記プレートの開口穴近傍には保護壁が設けられていると良い。そして、前記枝部にはコルゲートチューブと嵌合するコルゲート嵌合部材が別途取り付けられていると良い。
【発明の効果】
【００１２】
上記構成を有するワイヤーハーネス分岐部固定部材によれば、ワイヤーハーネスの分岐形状に対応して枝分かれ形成された複数の枝部を有するプレートから成り、そのプレートの枝分かれ位置には開口穴が形成されているので、この開口穴に例えばハーネス製作図板の棒状の治具を挿通させて、これを中心に分岐部を形成すれば、分岐位置が明確になって寸法測定が行い易くなり、その結果寸法精度が向上する。また、プレートの枝部は、ケーブルや外装材をテーピング等で直接固定することに利用できるので、分岐位置や分岐の方向を規制することができ、更には、分岐部の形状・大きさを一定のものにすることもできる。これにより製造公差の管理が容易になり、設計寸法通りにワイヤーハーネスを作ることが可能になる。
【００１３】
この場合、前記枝部は可撓可能であるという構成にすれば、例えば、テープを巻く枝部を可撓させながら下巻き１〜２回後、枝部を戻してケーブルや外装材と一緒にテープ巻きをすることができるので、テーピングのために一旦製作図板の治具から外す必要がなくなる。また、前記枝部には枝方向に対して側方に段部が形成されているという構成にすれば、テープや結束バンドを強固に固定してプレートからのズレが防止される。更に、前記プレートの開口穴近傍には保護壁が設けられているという構成にすれば、分岐部のケーブルの保護性能が向上すると共に、テープレス化も可能となる。
【００１４】
そして、前記枝部にはコルゲートチューブと嵌合するコルゲート嵌合部材が別途取り付けられているという構成にすれば、特許文献１や特許文献２に記載のような、コルゲートチューブに対応した分岐部専用の継ぎ手を用いなくても、プレートとコルゲート嵌合部材を分けた事により、コルゲートチューブのサイズに制限されることがないので、汎用性があり、安価でもある。
【発明を実施するための最良の形態】
【００１５】
以下に、本発明に係るワイヤーハーネス分岐部固定部材の実施の形態について図面を参照して説明する。
【００１６】
図１は本発明に係るワイヤーハーネス分岐部固定部材１の概略構成を説明した図である。図１は、ワイヤーハーネスのケーブルが配されるプレート２を示している。このプレート２は、可撓性を有する樹脂製の板材の打ち抜き加工又は射出成形等により成形されたもので、ワイヤーハーネスの分岐部の形状に合せて同じく所定位置で分岐された枝部２とその基部２ｂを備えており、ハーネス配索場所での配索状態等を考慮した形状・大きさを有してる。
【００１７】
このプレート２の各枝部２ａの枝分かれ位置には、つまり基部２ｂのほぼ中央には開口穴３がこの場合１つ形成されている。この開口穴３は、図２に示すようなハーネス製作図板４上に設けられた棒状の治具５が挿入されるもので、図示されるようにケーブルＷａは、これを中心に本線Ｗｂ、枝線Ｗｃへと分岐して配されている。このようにすれば、分岐の中心位置が明確になって、分岐位置から端末のコネクタまでの寸法測定が行い易くなり、その結果寸法精度が向上する。
【００１８】
また、各枝部２ａの先端には、分岐方向に対して側方に突出した段部６が形成されており、ケーブルやコルゲートチューブなどの外装材をテープや結束バンドで固定した際、それらと枝部２ａとのズレを防止するためのものである。この場合、図３に示すように、枝部２ａ先端の一部を側方に凹設させた形状の段部７としても同様の効果がある。
【００１９】
更に、各枝部２ａの途中位置には、薄肉部８が形成されており、枝部２ａの上下の可撓を容易にしている。このように枝部２ａに可撓性を持たせることで、例えば、ケーブルＷａを枝部２ａにテーピングで固定する際、テープを巻く枝部２ａを一旦下へ可撓させながら直接ケーブルＷａに下巻き１〜２回後、枝部２ａを戻してケーブルＷａと一緒にテープ巻きをすることができる。これにより、従来テーピングのために一旦製作図板の治具から分岐部を外すという作業が無くなり、外した際に分岐位置がずれてしまうという問題が解消される。
【００２０】
次に、上述したワイヤーハーネス分岐部固定部材に係るプレート２の変形例について説明する。図４に示すプレート２には、開口穴３を囲むように側壁となる保護壁９が形成されている。このように開口穴３の近傍に保護壁９を設ければ、この分岐位置のケーブルの保護性能が向上すると共に、この部分のテープレス化も可能となる。この場合、この保護壁９上面を覆うように別途蓋部材で閉じた構成にしても良く、その場合は更に保護性能が向上する。
【００２１】
図５に示すワイヤーハーネス分岐部固定部材は、特にコルゲートチューブＴに好適に用いられるもので、プレート２の各枝部２ａには、係合穴１０が形成されており、図示されるコルゲート嵌合部材１１の下面に設けられた図示しない係合爪が係合して、容易に外れないように取り付けられるようになっている。
【００２２】
このコルゲート嵌合部材１１は、上方が開口したＵ字形状を有しており、内側の嵌合爪１１ａは、図示されるコルゲートチューブＴの蛇腹の溝に嵌合するようになっている。このように、プレート２にコルゲート嵌合部材１１を取り付ける構成にすることにより、種々なるサイズのコルゲート嵌合部材１１を用意すれば、プレート２を変更することなく対応できる。つまり、コルゲートチューブのサイズに制限されることがないので、汎用性があり、安価なワイヤーハーネス分岐部固定部材である。
【００２３】
以上詳述したように、本発明に係るワイヤーハーネス分岐部固定部材は、ワイヤーハーネスの分岐部の分岐位置を精度良く容易に製作することに供されるものであり、こうした実施形態に何ら限定されるものではなく、本発明の要旨を逸脱しない範囲において、種々なる態様で実施できることは勿論である。
【００２４】
例えば、プレート２の形状は、図６に示されるように、ワイヤーハーネスの実際の配索状態に合せて種々なる形状・長さ・断面構造を採用することができ、実施例のような形状には限定されないことはいうまでもない。また、開口穴３も図示されるように、角形状でも良く、個数も制限されない。更に、コルゲート嵌合部材１１のプレート２の枝部２ａへの取り付けについても、上述した係合構造には限定されず、接着剤を用いたりなど種々なる取り付け方法が適用される。
【図面の簡単な説明】
【００２５】
【図１】本発明の実施の形態に係るワイヤーハーネス分岐部固定部材の外観斜視図を示した図である。
【図２】図１のワイヤーハーネス分岐部固定部材の使用の状態を示した図である。
【図３】図１のプレートの枝部の変形例を示した図である。
【図４】図１のプレートの開口部近傍の変形例を示した図である。
【図５】図１のプレートにコルゲート嵌合部材を追加した例を示した図である。
【図６】図１のプレートの形状の変形例を示した図である。
【図７】従来用いられてきたワイヤーハーネスの分岐部の構造を示した図である。
【符号の説明】
【００２６】
１  ワイヤーハーネス分岐部固定部材
２  プレート
２ａ  枝部
２ｂ  基部
３  開口穴
４  ハーネス製作図板
５  治具
６，７  段部
８  薄肉部
９  保護壁
１０  係合穴
１１  コルゲート嵌合部材
１１ａ  嵌合爪
Ｗ  ワイヤーハーネス
Ｗａ  ケーブル
Ｗｂ  本線
Ｗｃ  枝線
【図１】
2005295730.tif 000003
【図２】
2005295730.tif 000004
【図３】
2005295730.tif 000005
【図４】
2005295730.tif 000006
【図５】
2005295730.tif 000007
【図６】
2005295730.tif 000008
【図７】
2005295730.tif 000009